(57)【要約】イーブック(112)は、イーブックのセクションの第１の経路(130)のセクション(110)にアクセスするためのナビゲーション制御装置(124)を有する。経路変更コマンド(134)の受領に応じて、アクティブな経路(129)が第２の経路(132)に変更される。付随して、ナビゲーション制御装置は、第１の経路に沿う代わりに第２の経路に沿ったナビゲーションを提供するように変更される。【選択図】図１
2014503928.tif 000002
【特許請求の範囲】
【請求項１】
セクション（110;21-215）を備える電子書籍（イーブック）（112;200）、ナビゲーション制御装置（124;432）、及び経路選択器（126;450）を画定するコード（122;410）で符号化されたコンピュータ可読記憶媒体（120;408）を含むシステムであって、前記経路選択器（126;450）は、プロセッサ（116;404）により実行された際に、
アクティブな経路（129;454）を第１の経路（130;300）から第２の経路（132;502）に変更するための経路変更コマンド（134）を受け取り（101;702）、前記経路のそれぞれが、前記イーブックのそれぞれの一連のセクションに対応し、
前記経路変更コマンドに応答して、前記ナビゲーション制御装置が前記第１の経路に沿う代わりに前記第２の経路に沿ってナビゲーションを提供するように前記ナビゲーション制御装置を変更（120;703）するように構成されている、システム。
【請求項２】
前記プロセッサを更に含む、請求項１に記載のシステム。
【請求項３】
前記ナビゲーション制御装置がコンテンツテーブル（440）を含み、そのコンテンツテーブル（440）が、
前記第１の経路が前記アクティブな経路である間に、前記第１の経路のセクションに対応するハイパーリンクのエントリ（462-468）と、
前記第２の経路が前記アクティブな経路である間に、前記第１の経路が前記アクティブな経路である間に前記コンテンツテーブルに含まれない前記第２の経路に関連付けられた少なくとも１つのハイパーリンクのエントリ（670）とを有する、請求項１に記載のシステム。
【請求項４】
前記第１の経路は、第２のセクション（466）がすぐに後続する第１のセクション（464）を含み、前記第２の経路は、前記第２のセクションとは異なる第３のセクション（664）がすぐに後続する前記第１のセクションを含み、前記ナビゲーション制御装置は、次のページ制御を有し、前記次のページ制御は、前記第１のセクションの最後のページが表示されている間に、
前記第１の経路が前記アクティブな経路である間には、前記次のページ制御を起動することにより前記第２のセクションの最初のページを表示させ、
前記第２の経路が前記アクティブな経路である間には、前記次のページ制御を起動することにより前記第３のセクションの最初のページを表示させるように構成されている、請求項１に記載のシステム。
【請求項５】
前記イーブックは、起動された際に、前記セクションの少なくとも一部を含む新たな経路を作成するためのインターフェース（220）を呈示する制御部（508）を含む、請求項１に記載のシステム。
【請求項６】
人間が読むことができる形態で電子書籍（イーブック）（112;200）を呈示するように構成されたハードウェア（116;404）及びソフトウェア（122;410）の組み合わせを含む電子書籍リーダ（114;402）であって、前記組み合わせが、現在アクティブな経路（129;454）を第１の経路（130;300）から第２の経路（132;502）に変更することを行い、前記経路のそれぞれは、人間が読むことができる形態で呈示されるように構成されたコンテンツの一連のセクション（110;201-215）を含み、前記第１の経路に関連付けられた前記一連のセクションが、それに含められたセクション又はそれに含められたセクションの順序において前記第２の経路とは異なる、電子書籍リーダ（114;402）。
【請求項７】
前記組み合わせが、前記アクティブな経路のセクションの中でナビゲートし且つ前記アクティブな経路に含まれない前記イーブックのセクションにナビゲートしないナビゲーション制御装置（124;432）を含む、請求項６に記載の電子書籍リーダ。
【請求項８】
前記組み合わせが、前記イーブックのセクションを指定するコンテンツテーブル（440）を表示し、指定された前記セクションが前記アクティブな経路の関数である、請求項６に記載の電子書籍リーダ。
【請求項９】
前記組み合わせが、前記イーブックのセクションの新たな経路（704）を作成することを行う、請求項６に記載の電子書籍リーダ。
【請求項１０】
前記組み合わせが、異なるイーブックのセクションを含む新たな経路の作成またはインポート（704）を行う、請求項６に記載の電子書籍リーダ。
【請求項１１】
プロセス（100）であって、
電子書籍リーダ（114;402）に表示される電子書籍（イーブック）（112;200）の第１の経路（130;300）がアクティブな経路（129;454）である間に、前記アクティブな経路になる第２の経路を選択するように人間が前記電子書籍リーダと対話し、前記経路が前記イーブックの一連のセクションをそれぞれ含み、
前記第１の経路の一連のセクションの表示から前記第２の経路の第２の一連のセクションの表示へ前記イーブックのコンテンツテーブル（124;432）を変更（101;703）することにより前記選択に応答することを含む、プロセス（100）。
【請求項１２】
前記第１及び第２の経路は、前記第１の経路における第１のセクション（213）及び前記第２の経路における第２のセクション（206）が後続する共通のセクション（208）を共用し、前記応答することは、前記共通のセクションの最後のページが表示されている間に発行される次のページコマンドが、前記第１の経路がアクティブである間には前記第１のセクションの最初のページを表示させ、前記第２の経路がアクティブである間には前記第２のセクションの最初のページを表示させるようにナビゲーション制御装置を変更することを含む、請求項１１に記載されたプロセス。
【請求項１３】
前記イーブックの新たな一連のセクションを含む新たな経路を作成（706）するために前記人間が前記電子書籍リーダと対話することを更に含む、請求項１１に記載のプロセス。
【請求項１４】
前記新たな経路を作成するために前記電子書籍リーダと対話することは、前記電子書籍リーダが前記セクションの相対的な人気度の表示と共に前記イーブックの全セクションのマップを表示（705）することを含む、請求項１３に記載のプロセス。
【請求項１５】
別のイーブックへインポートするために利用可能にするために経路を前記人間がエクスポート（707）することを更に含む、請求項１４に記載のプロセス。
【発明の詳細な説明】
【技術分野】
【０００１】
背景
電子書籍（イーブック）は、低い生産コスト及びより低い製造原価（及び場合によっては小売原価）、並びに軽量、及び幾つかの電子書籍リーダ（数千冊の本を個々に収容することができる）に関連した少ないかさばりを含む幾つかの理由で、人気上昇中である。更に、イーブックが読まれるコンピュータ又はコンピュータベースのデバイスが、リッチメディアのタイプ（例えば、ビデオ及び対話式）をサポートするために使用され得る。
【図面の簡単な説明】
【０００２】
【図１】例による、プロセス及びシステムの結合した流れ図と略図である。
【図２】一例によるイーブックのマップである。
【図３】図２のマップから導出された経路である。
【図４】読者、及び図２で示されたイーブックが格納されている電子リーダ（電子書籍リーダ）の略図である。
【図５】図２のイーブックの経路を選択するためのドロップダウンメニューの図である。
【図６】経路変更コマンドが実行された後の図２のイーブックの略図である。
【図７】図４のイーブックに適用可能な経路選択および作成プロセスの流れ図である。
【０００３】
詳細な説明
再構成可能な電子書籍（イーブック）１１２の再構成セクション１１０のプロセス１００が図１に示される。プロセス１００は、電子書籍リーダとしての機能を果たすように構成されたコンピュータ１１４で実行され得る。コンピュータ１１４は、プロセッサ１１６、通信（対話）デバイス（入出力デバイスを含む）１１８、及びコンピュータ可読記憶媒体１２０を含む。媒体１２０は、イーブック１１２を画定するコード１２２で符号化（エンコード）される。イーブック１１２は、コンテンツセクション１１０、ナビゲーション制御装置１２４、及び経路選択器１２６を含む。セクション１１０は、経路１３０及び１３２に従って構成されることができ、経路１３０及び１３２のそれぞれは、セクション１１０の一部または全てからなる個々の一続きを指定する。
【０００４】
経路選択器１２６は、プロセッサ１１６により実行される際に、アクティブな経路１２９を、例えばプロセスセグメント１０１の前の経路１３０から、プロセスセグメント１０２の後の経路１３２に変更するように構成された能動要素である。かくして、プロセスセグメント１０１において、イーブック１１２は、経路変更コマンド１３４を受け取る。プロセスセグメント１０２において、経路選択器１２６は、アクティブな経路を経路１３２に変更する経路変更コマンド１３４を実行する。アクティブな経路１２９を変更することは、同様にナビゲーション制御装置を変更し、そのためナビゲーション制御装置１３６が、ナビゲーション制御装置１２４に取って代わり、それによりどのセクションがアクセスされ得るかを変更することができる。
【０００５】
所与の読者に最も有用な順序でセクションを呈示する経路が選択され得る。また、所与の経路は、ブック（本）の全てのセクションを含んでも含まなくてもよい。かくして、所与の読者に関心のないセクションを省く一経路が選択され得る。また、経路が構成される順序は、読者の関心またはコースインストラクタの目的に一致するように選択され得る。
【０００６】
以下のデフォルトの線形構成のセクション、即ち「INFRASTRUCTURE MANAGEMENT」２０１、「PARALLEL DATABASES」２０２、「UTILITY COMPUTING」２０３、「UBIQUITOUS COMPUTING」２０４、「WIRELESS & MOBILITY」２０５、「SMART CARDS」２０６、「RE-USE」２０７、「SECURITY」２０８、「TEXT MINING」２０９、「WORKFORCE MANAGEMENT」２１０、「DATA EXPLOSION」２１１、「CONTENT MANAGEMENT」２１２、「PRIVACY」２１３、「BIOMETRICS」２１４、及び「SEARCH」２１５を有する「INFORMATION TECHNOLOGY MANAGEMENT」と題する、図２に示されたイーブック２００及びマップ２２０を考察する。意味解析が、セクションの対間の関係を確立し、これらの関係は図２のリンク２２２として示される。
【０００７】
一部の潜在的な読者は、前述のセクションの全てに興味を持たないかもしれない。例えば、インフラ管理（infrastructure management)の文脈においてバイオメトリクス（biometrics）の使用に注目させられている読者は、最も有用である図３の経路３００を見出すことができる。経路３００の選択は、図４に示されたようなシナリオを生じることができ、図４は、電子書籍リーダ４０２を有する読者４００を示す。
【０００８】
電子書籍リーダ４０２は、プロセッサ４０４、タッチスクリーンのような通信（対話）デバイス（入出力デバイスを含む）４０６、及びコンピュータ可読記憶媒体４０８を有するスレート型コンピュータである。記憶媒体４０８は、コード４１０で符号化される。コード４１０は、コンピュータ実行可能命令および他のコンピュータ可読データの双方を含むデータを表す。コード４１０は、イーブック２００、４１２及び４１４、電子書籍リーダソフトウェア４１６、イーブックアセンブラ４１８、及びイーブック購入装置４２０を含む。他の例において、ノート型パソコン及びデスクトップ型コンピュータを含む他の電子書籍リーダのフォームファクターが使用され、他の例は、専用の電子書籍リーダ、携帯情報端末、スマートフォン、ゲーム機、テレビ受像機、及び電子書籍リーダソフトウェアを備える汎用コンピュータ等を提供する。電子書籍リーダ４０２は、異なるソース媒体からのコンテンツを呈示するために使用され得る。例えば、一番目の章（chapter）は、電子書籍リーダ自体にあることができ、二番目の章は、電子書籍リーダ４０２に係合された着脱可能媒体からアクセスされることができるが、三番目の章は、ローカルエリアネットワークを介して遠隔のネットワーク接続ストレージ（ＮＡＳ）からアクセスされることができ、四番目の章は、インターネットを介して、例えばウェブサイトからアクセスされ得る。
【０００９】
図４に示されたように、イーブック２００は、コンテンツ４３０、ナビゲーション制御装置４３２、プロパティデータ４３４、使用量データ４３６、及び権利データ４３８を含む。コンテンツ４３０は、セクション２０１〜２１５及び付録４４４（例えば、索引、用語集、図書目録など）を含む。ナビゲーション制御装置４３２は、動的なコンテンツテーブル（ＴＯＣ：TABLE OF CONTENTS）４４０を含み、当該テーブル４４０は、章のアイデンティティ４４２及び位置（例えば、ページ番号）、並びに付録４４４のアイデンティティ及び位置を含む。
【００１０】
ＴＯＣ４４０は、現在のアクティブ経路４５４を示すパネル４５２を備えるドロップダウンメニュー４５０を含む。図４において、現在のアクティブ経路４５４は、「BIOMETRIC PATH（経路）」３００である。従って、ＴＯＣ４４０は、リストにおいて、経路３００のセクションに対する章のアイデンティティ、即ち「CHAPTER 1 : INFRASTRUCTURE MANAGEMENT（ＩＭ）」４６２、「CHAPTER 2 : SECURITY」４６４、「CHAPTER 3 : PRIVACY」４６６、及び「CHAPTER 4 : BIOMETRICS」４６８を指定する。章のアイデンティティ及び付録のアイデンティティが、活性化された際、特定された章または付録にナビゲートするハイパーリンクになるので、ＴＯＣ４４０はナビゲーション制御装置４３２とみなされる。代替的な例において、ＴＯＣは、リスト以外の形態、例えば対話型グラフィック表示およびネットワーク図で章を指定する。
【００１１】
ＴＯＣ４４０は、図５に示されたようにドロップダウンメニュー４５０が活性化されてアクティブな経路を変更するために使用される場合に、示された章および付録が変化するという点で「動的（ダイナミック）」である。図５において、現在の経路を変更５０６及び新しい経路の作成５０８のエントリと共に、３つの予め設定された経路３００、５０２及び５０４が示される。「SMART CARDS」に隣接した矢印により示されるように、経路５０２が選択されている。結果として、イーブック２００は、図６に示された形態をとる。
【００１２】
かくして、イーブック２００は、異なる「SMART CARDS」経路５０２が選択された形態で図６に示される。この場合、章は、「CHAPTER 1 : SECURITY」６６２、「CHAPTER 2 : SMART CARDS」６６４、「CHAPTER 3 : WORKFORCE MANAGEMENT（ＷＭ）」６６６、「CHAPTER 4 : RE-USE」６６８、及び「CHAPTER 5 : TEXT MINING」６７０である。ＴＯＣ４４０の図４及び図６に呈示されたものとの比較は、ＴＯＣ４４０の動的な特性を例示する。
【００１３】
アクティブな経路を変更することは一般に、列挙された（又は呈示された）章（chapters）、ひいては章のアイデンティティを選択することによりアクセスされ得るセクションを変更する。更に、選択された経路は、他のナビゲーション制御装置に影響を及ぼすことができる。例えば、経路５０２が図５に示されるようにアクティブである場合、「CHAPTER 1：SECURITY」６６２の最後のページから「次のページ」コマンドを発行することにより、「CHAPTER 2 : SMART CARDS」４６４の最初のページが繰り出される。しかしながら、経路３００がアクティブ（図４に示されるように）である場合、「CHAPTER 2：SECURITY」４６４の最後のページからの「次のページ」コマンドが、「CHAPTER 3 : PRIVACY」４６６の最初のページを繰り出す。更に、付録４３２は、選択された経路に従って動的に変更され得る。例えば、索引、用語集、及び図書目録は、イーブック２００の全セクション２０１〜２１５を表すこととは対照的に、経路セクションのコンテンツを表すように更新され得る。また、例えばＴＯＣ４４０に列挙された付録のページの場所は、選択された経路に従って変更され得る。
【００１４】
予め設定された（プリセット）経路の中から選択することを可能にすることに加えて、メニュー４５０は、選択された際に、ユーザが新たな経路を定義することを可能にする「CREATE NEW-PATH」のエントリ５０８を提供することができる。この目的を達成するために、「CREATE NEW-PATH」のエントリの選択は、経路を選択する際のグラフィカルな補助としてマップ２２０を呼び出すことができる。例えば、マップ２２０の既存のリンクは、セクションを選択および構成するためのガイドとして使用され得る。しかしながら、例示された例において、ユーザは、既存のリンクに従う経路に制限されない。幾つかの例において、ユーザは、他のイーブックからのセクション、例えばイーブック４１２及び４１４からのセクションを含む経路を作成することができ、イーブック２００の経路に含めることができる。異なるブックからのセクションを用いて経路をアセンブルする（組み立てる）能力は、イーブックアセンブラ４１８により提供される。
【００１５】
電子書籍リーダソフトウェア４１６（図４）は、例えば現実の又は仮想のナビゲーション制御装置（例えば、ハイパーリンク）に関連付けられたようなスクリプトを解釈または実行可能コードへ変換するプログラム（例えば、実行ファイル）である。かくして、ナビゲーション制御装置の実行は、プロセッサ４０４により直接的に実行され得る命令へと関連したスクリプト又はハイパーリンクを変換することを実行することを含む。電子書籍リーダソフトウェア４１６は、どのイーブックコンテンツ（例えば、アクティブな経路のセクションから）がアクセス可能であるべきかを判定するためにイーブックのコードを解釈するためのパーサー４７２を含む。
【００１６】
使用量報告装置４７４は、イーブック２００の使用量データ４３６をイーブック４１２及び４１４のために管理する。報告装置４７４は、セクションと経路の使用量の記録を残す。使用量データは、例えば使用量データ４３６として格納される。使用量データ４３６は、最も人気のあるセクション、経路、及びセクションをクラスタ化する他の方法を示すためにユーザからの使用量データと共に報告され得る。使用量の結果は、セクション及びリンクに割り当てられた重み付けを調整することによりマップ２２０を更新することができる電子書籍リーダ４１６にフィードバックされ得る。
【００１７】
例えば、図２のマップ２２０において、セクション２０５、２０６、２０８、２１３及び２１４は、これらのセクションが残りのセクションよりも使用量が多いことを示す比較的太い外形線を有する。また、図２において、強いリンク２３０が、「RE-USE」セクション２０７及び「TEXT MINING」セクション２０９との間に看取され、別の強いリンク２３２が「WIRELESS & MOBILITY」セクション２０５と「SECURITY」セクション２０８との間に存在し、更に別の強いリンク２３４が「SECURITY」セクション２０８と「PRIVACY」セクション２１３との間に存在する。より弱いリンク２３６が「SECURITY」セクション２０８と「SMART CARDS」セクション２０６との間に存在し、別のより弱いリンク２３８が「PRIVACY」セクション２１３と「BIOMETRICS」セクション２１４との間に存在する。他のリンクは大幅に弱い。
【００１８】
異なるリンクの太さは、最も人気のあるセクション、リンク、及び読む経路の敏速な認識を提供する。リンクの太さは、絶対的な人気度（人気がマップ間で比較され得るように）、又は少なくとも相対的な人気度（同じマップのリンクが比較され得るように）を示すことができる。どちらにしても、リンクの太さの違いは、イーブックのセクション及びリンクの相対的な人気度を示すことができる。セクション及びリンクのこれら重み付けは、新たな経路を作成する際にユーザを案内するのに役立つように使用され得る。
【００１９】
別個に示されているが、使用量データ４３６は、プロパティデータ４３４（例えば、ブックプロパティデータ（ＩＳＢＮ、著者、発行元、年、ジャンル、ページ））、セクションプロパティデータ（キーワード、著者、登場人物、場所、テーマ）、経路（題名、使用量の頻度、リンクの重み、作成に関するデータ、作成者（ユーザ）、価格）、ユーザプロパティデータ（役割、性別、年齢、場所、趣味、他の経路）、ドメインプロパティデータ（ドメインの記述、例えば主題、ドメインの類義語、作成日、作成者、例えばユーザ、及び他の経路）と共に、分析目的のために報告され、それらの一部とみなされ得る。
【００２０】
電子書籍リーダ４１６の権利管理装置４７６は、イーブック２００、４１２、４１４等のデジタル権利を管理する。例えば、イーブック２００は、ハード及び電子コピーを作成する際、及びどのセクションがアクセスされ得るかに基づいて幾つかの制限と共に取得され得る。例えば、電子コピーは、特定の他の共同所有されたデバイスに対して禁止または制限され得る。また、印刷されたコピーは、禁止または特定の数まで制限され得る。更に、セクション２０１〜２１５の幾つかに対するアクセスは、不可能にされ得る。
【００２１】
電子書籍リーダ４０２を用いて実施され得る例示的なプロセス７００が図７の流れ図である。プロセスセグメント７０１において、読者４００が電子書籍リーダ４０２と対話すると同時に、「BIOMETRIC PATH」３００がアクティブになる（図４に示されるように）。プロセスセグメント７０２において、読者４００は、電子書籍リーダ４０２と対話して、アクティブな経路として「SMART CARDS」の経路５０２を選択する。従って、電子書籍リーダ４０２は、経路変更コマンドを受け取る。
【００２２】
プロセスセグメント７０３において、プロセスセグメント７０３における選択に応じて、ナビゲーション制御装置が、「BIOMETRIC PATH」３００の代わりに「SMART CARDS」の経路５０２に対応するように変更される。この変更は、図４のその形態とは対照的に図６に示されるように、変化したコンテンツテーブル４４０を含む。また、ページめくり制御装置は新たな経路に対応するように変更される。例えば、「BIOMETRIC PATH」３００及び「SMART CARDS」の経路５０２の双方は、「SECURITY」セクション２０８（図４では４６４、図６では６６２）を含む。しかしながら、「BIOMETRIC PATH」３００がアクティブである場合、「SECURITY」セクション２０８（図４のＴＯＣエントリ４６４）の最後のページが表示されている間の次のページコマンドは、「PRIVACY」セクション２１３（図４のＴＯＣエントリ４６６）の最初のページにつながるが、「SMART CARDS」の経路５０２がアクティブである場合、「SECURITY」セクション２０８（図６のＴＯＣエントリ６６２）の最後のページが表示されている間の次のページコマンドは、「SMART CARDS」セクション２０６（図６のＴＯＣエントリ６６４）の最初のページにつながる。
【００２３】
経路変更の後に生じてもよいし生じなくてもよいプロセスセグメント７０４において、読者４００が電子書籍リーダ４０２と対話して新たな経路の作成を開始する。代案として、経路、例えば別のユーザにより作成された経路は、プロセスセグメント７０４においてインポートされ得る。プロセスセグメント７０５において、電子書籍リーダ４０２は、セクション２０１〜２１５及びリンク２２２の相対的な人気を示すイーブック２００のセクションのマップ２２０を表示する。プロセスセグメント７０６において、読者４００がセクション２０１〜２１５の一部または全てを含む経路を作成する。この新たな経路は、リンク２２２に追従することができる、又は図２に明示的に示されていないリンクを含んでもよい。代案として又は更に、新たな経路は、他のイーブック、例えば図４のイーブック４１２及び４１４からのセクションを含むことができる。プロセスセグメント７０７において、ユーザ作成経路は、インポートにより、例えば他のユーザにより共有され得るように、プロセスセグメント７０７において同じイーブック又は異なるイーブックの異なるインスタンスへエクスポートされ得る、例えばイーブック４０２から独立した媒体に格納され得る。
【００２４】
本明細書において、「システム」は、一組の相互作用する一時的でない有形の要素であり、この場合、要素は、一例として及び以下に制限しないが、機械コンポーネント、電気素子、原子、命令の物理的符号化、及びプロセスセグメントすることができる。本明細書において、「プロセス」は、物理的な変換を結果として生じる又は、物理的な変換を含む一連のアクションを意味する。「記憶媒体（単数または複数）」は、一時的でない有形の材料を含むシステム、又はコンピュータにより読み出し可能であるように情報が符号化される又は符号化され得るシステムを意味し、「記憶媒体」は、モノリシック、例えばＣＤ−ＲＯＭとすることができ、又は例えば異なるタイプ及び異なるソースからの媒体からなる分散型とすることができる。「ディスプレイ媒体（単数または複数）」は、テキスト、図、写真、グラフ等の状態に関わらず、人間が読める形態に情報が符号化された記憶媒体を意味する。「コンピュータ可読」は、情報がコンピュータ読み取り可能な形態に符号化されている記憶媒体を意味する。
【００２５】
本明細書において、（単語「仮想」が前に付かない限り）「マシン」、「デバイス」、及び「コンピュータ」は、ハードウェア、又はハードウェア及びソフトウェアの組み合わせを意味する。「仮想」のマシン、デバイス又はコンピュータはそれぞれ、ソフトウェア類似物、又はマシン、デバイス又はサーバの表現、及び「実在」しないマシン、デバイス又はコンピュータである。「サーバ」は、実在するコンピュータ（ハードウェア、又はハードウェア及びソフトウェアの組み合わせ）、又はコンピュータにサービスを提供する仮想コンピュータである。本明細書において、「ナビゲーション制御装置」は、実在および仮想のナビゲーション制御装置の双方を含む。仮想ナビゲーション制御装置は、例えばテキストの形態のハイパーリンク、例えばタッチ、ジェスチャー又は声により活性化される「ソフト」ボタン及びスライダーを含むユーザの相互作用でもって経路にわたってナビゲーションするための手段を定義した任意のソフトウェアである。本明細書において、文脈から明らかでない限り、コンピュータの機能的に定義されたコンポーネントは、定義された機能を提供するために、ハードウェア及びそのハードウェア上で実行するソフトウェアの組み合わせである。しかしながら、コンピュータ可読の記憶媒体上に符号化されたコードの文脈では、機能的に定義されたコンポーネントは、ソフトウェアを意味することができる。
【００２６】
本明細書において、コンピュータは、コンピュータ可読記憶媒体、プロセッサ、及び１つ又は複数の通信デバイスを含む同一配置型または分散型コンポーネントを有するマシン（機械）である。コンピュータ実行可能命令を含むデータを表すコードを、媒体が格納する、又は当該コードを格納するように構成されている。１つ又は複数の中央処理装置（ＣＰＵ）を含むことができるプロセッサは、命令に従ってデータを読み出して処理する。「通信（単数または複数）デバイス（単数または複数）」は、データを送信および／または受信するために使用されるコンピュータホスト型デバイスを意味する。本明細書において、「コンピュータネットワーク」は、通信的に結合された実在するノード、場合によっては仮想のノードのネットワークであり、この場合、ノードは、一例として及び以下に制限されないが、サーバ、ネットワークインフラデバイス、及び周辺装置とすることができる。本明細書において、「ノード」は、実在する及び仮想のデバイスを含む。
【００２７】
この明細書において、関連する技術は、説明的目的のために論じられる。「従来技術」と表示された関連技術は、たとえあったとしても、従来技術を許容する。「従来技術」と表示されていない関連技術は、従来技術を許容しない。特許請求の範囲において、「前記（said）」は、特許請求の範囲（請求項）に明確な既述の事項が存在する要素を識別し、「前記（the）」は特許請求の範囲（請求項）に明確な既述の事項が存在する要素を意味し、例えば「前記円の前記中心」という表現は、請求項が「円」の明確な既述の事項を提供し、あらゆる円が正確に１つの中心を含むので、「中心」の暗黙の既述の事項としての役割も果たすことを示す。特許請求の範囲において、「又は」は、別段の指示がない限り、「包含的な又は」である。例示された及び他の説明された例、並びにそれに対する変更および変形は、添付の特許請求の範囲の範囲内にある。
【図１】
2014503928.tif 000003
【図２】
2014503928.tif 000004
【図３】
2014503928.tif 000005
【図４】
2014503928.tif 000006
【図５】
2014503928.tif 000007
【図６】
2014503928.tif 000008
【図７】
2014503928.tif 000009
【国際調査報告】
2014503928.tif 000010
2014503928.tif 000011